(57)【要約】【課題】スイッチフィーリングの調整が可能なスイッチ構造を提供する。【解決手段】スイッチ構造１は、バスバー３間の導通とその解除の切り替え時に操作されるスイッチノブ２１と、このスイッチノブ２１の操作によってバスバー３に接触してバスバー３間を導通させるコンタクト２２と、このコンタクト２２をバスバー３側に付勢させるバネ２３と、スイッチノブ２１とバネ２３との間で配置が反転可能に介在するスペーサ２４とを備える。スペーサ２４は、バネ２３の収縮方向が押し込み方向となるようにバネ２３を支持するバネ支持部２４２ａ，２４２ｂと、このバネ支持部２４２ａ，２４２ｂを互いに逆方向に立設させる一対の立設面２４４ａ，２４４ｂとを有する。立設面２４４ａ，２４４ｂは、スイッチ構造１の組み付け状態でコンタクト２２においてバネ２３のバネ受け面部２２６と対向した際の当該受け面部２２６に対する組み付け高さが相違する。【選択図】図１
2015216028.tif 000002
【特許請求の範囲】
【請求項１】
一対のバスバーと、
このバスバー間の導通とその解除の切り替え時に操作されるスイッチノブと、
前記導通への切り替え時のスイッチノブの操作によって前記バスバーに接触して当該バスバー間を導通させる導通部と、
この導通部を前記バスバー側に付勢させる付勢部材と、
前記スイッチノブと前記付勢部材との間で配置が反転可能に介在する中間部材と
を備え、
前記中間部材は、
前記付勢部材の収縮方向が押し込み方向となるように当該付勢部材を支持する支持部と、
この支持部を互いに逆方向に立設させる一対の立設面と
を有し、
前記一対の立設面は、スイッチ構造の組み付け状態で前記導通部において当該付勢部材の受け面と対向した際の当該受け面に対する組み付け高さが相違すること
を特徴とするスイッチ構造。
【発明の詳細な説明】
【技術分野】
【０００１】
本発明は、電源側，機器側にそれぞれ接続された一対のバスバー間を導通させるスイッチノブを備えたスイッチ構造に関する。
【背景技術】
【０００２】
車両には、室内照明灯の電気機器が設けられており、この電気機器として室内照明灯を点灯及び消灯させるスイッチ構造が知られている（特許文献１〜４）。
【０００３】
従来のスイッチ構造は、例えば、シーソー式のスイッチノブと、このノブに具備される一対のコンタクトと、このコンタクトと接触する一対のバスバーとを備える。前記バスバーは前記コンタクトと接触する表面が例えば少なくとも三つの谷部を有する波形形状を成している。そして、前記スイッチノブの操作面の一端付近が押されると、前記コンタクトが前記バスバーの表面に接触しながら一方の谷部から中央の谷部を経て他方の谷部に移動して静止するようになっている。
【先行技術文献】
【特許文献】
【０００４】
【特許文献１】実開平３−０８８２３７号公報
【特許文献２】特開２００８−０４１６１５号公報
【特許文献３】特開２０１１−２２２２９４号公報
【特許文献４】特開２０１２−１４２１４７号公報
【発明の概要】
【発明が解決しようとする課題】
【０００５】
従来のスイッチ構造は、長期的な使用によってスイッチフィーリング（操作感，重量感）が劣化した場合、スイッチフィーリングの調整を行うことができないので、スイッチフィーリングを改善するには製品の交換若しくは金型の修正が必要となる。
【０００６】
本発明は、前記の事情を鑑みてなされたもので、スイッチフィーリングの調整が可能であるスイッチ構造の提供を課題とする。
【課題を解決するための手段】
【０００７】
そこで、本発明のスイッチ構造は、一対のバスバーと、このバスバー間の導通とその解除の切り替え時に操作されるスイッチノブと、前記導通への切り替え時のスイッチノブの操作によって前記バスバーに接触して当該バスバー間を導通させる導通部と、この導通部を前記バスバー側に付勢させる付勢部材と、前記スイッチノブと前記付勢部材との間で配置が反転可能に介在する中間部材とを備える。前記中間部材は、前記付勢部材の収縮方向が押し込み方向となるように当該付勢部材を支持する支持部と、この支持部を互いに逆方向に立設させる一対の立設面とを有する。前記一対の立設面は、スイッチ構造の組み付け状態で前記導通部において当該付勢部材の受け面と対向した際の当該受け面に対する組み付け高さが相違する。
【０００８】
本発明によれば、スイッチノブと付勢部材との間に介在する中間部材は、導通部を付勢する付勢部材の支持部を互いに逆方向に立設させる一対の立設面を有する。この一対の立設面は、スイッチ構造の組み付け状態で前記導通部において前記付勢部材の受け面と対向した際の当該受け面に対する組み付け高さが相違する。したがって、スイッチノブと付勢部材との間で中間部材の配置を反転させることにより、導通部において前記付勢部材の受け面と対向する立設面の当該受け面に対する組み付け高さを変えることができるので、スイッチ構造のスイッチフィーリングを調整できる。
【発明の効果】
【０００９】
以上のように本発明のスイッチ構造によればスイッチフィーリングを調整できる。
【図面の簡単な説明】
【００１０】
【図１】本発明の実施形態におけるスイッチ構造の分解斜視図。
【図２】（ａ）はスイッチノブがＯＮ状態である場合の同スイッチ構造の斜視図、（ｂ）は同スイッチ構造のＡ−Ａ断面図。
【図３】（ａ）はスイッチノブがＯＦＦ状態である場合の同スイッチ構造の斜視図、（ｂ）は同スイッチ構造のＡ−Ａ断面図。
【図４】スイッチノブがＯＦＦ状態である場合のコンタクトとバスバーとの接触状態の拡大断面図。
【図５】コンタクトがハウジング内の節度山の頂点に達した状態の拡大断面図。
【図６】（ａ）はスイッチ構造におけるスイッチアッセンブリの組み付け状態の断面図、（ｂ）は同アッセンブリの下方からの斜視図
【図７】（ａ）はスイッチアッセンブリの分解側面図、（ｂ）はスペーサの配置を反転させた同アッセンブリの分解側面図。
【図８】（ａ）はスイッチフィーリングを軽く調整した状態のスイッチアッセンブリの側面図、（ｂ）はスイッチフィーリングを重たく調整した状態の同アッセンブリの側面図。
【発明を実施するための形態】
【００１１】
以下、本発明の実施形態について図面を参照しながら説明する。
【００１２】
図１に示された本実施形態のスイッチ構造１は、電源側とバルブＶ側とに接続されるバスバー３の導通とその解除を行うスイッチアッセンブリ２と、このアッセンブリ２が組み付けられると共にバスバー３に接続されたバルブＶの光を透過させるレンズ４とを備える。
【００１３】
（スイッチアッセンブリ２）
スイッチアッセンブリ２は、バスバー３の導通とその解除の切り替え時に揺動操作されるシーソー式のスイッチノブ２１と、このスイッチノブ２１の操作によってバスバー３と接触するコンタクト２２と、このコンタクト２２をバスバー３に向かって付勢させるバネ２３と、スイッチノブ２１とバネ２３との間で配置が上下反転可能に介在するスペーサ２４とを備える。
【００１４】
（スイッチノブ２１）
スイッチノブ２１は、図１，２（ｂ）に示したように、ＯＮまたはＯＦＦの操作時に押し込み操作される操作面部２１０と、レンズ４のノブ取り付け部４１内にて支持される一対の軸受穴２１１と、スペーサ２４のバネ支持部２４２ａ,２４２ｂのいずれかが嵌装される嵌装部２１２と、当該スペーサ２４のスペーサ本体２４１の一端が嵌装されるスペーサ嵌装部２１３とを備える。
【００１５】
（コンタクト２２）
コンタクト２２は、図６（ｂ）に示したように、スイッチノブ２１がＯＮ位置状態のときに図１のバルブ側バスバー３ａと接触するバルブ側導通部２２１ａと、バルブ側バスバー３ａの長手方向に当該導通部２２１ａと並列に配置されて前記ＯＮ位置状態のときに図１の電源側バスバー３ｂと接触する電源側導通部２２１ｂとを一体的に備える。
【００１６】
バルブ側導通部２２１ａは、図７（ａ）（ｂ）に示したように、下方に突出するバルブ側山部２２２ａと、このバルブ側山部２２２ａから揺動方向に沿って互いに離れ且つ上方に延びた一対のバルブ側斜面部２２３ａとを一体的に備える。
【００１７】
同様に、電源側導通部２２１ｂも、下方に突出する電源側山部２２２ｂと、この電源側山部２２２ｂから揺動方向に沿って互いに離れ且つ上方に延びた一対の電源側斜面部２２３ｂとを一体的に備える。
【００１８】
さらに、バルブ側導通部２２１ａ，電源側導通部２２１ｂの上方には、スペーサ２４に挿通される対向側面部２２４と、この側面部２２４においてスペーサ２４を係止する係止部２２５と、スペーサ２４にて支持されたバネ２３を受けるバネ受け面部２２６とが、当該導通部２２１ａ,２２１ｂと一体的に備えられている。
【００１９】
（スペーサ２４）
スペーサ２４は、図７（ａ）（ｂ）に示したように、上端，下端のいずれもがスイッチノブ２１のスペーサ嵌装部２１３に嵌装可能であると共にコンタクト２２の対向側面部２２４が高さ方向に挿通係止されるスペーサ本体２４１と、先端部がスイッチノブ２１の嵌装部２１２に嵌装可能であると共にバネ２３の収縮方向が押し込み方向となるようにバネ２３を支持するバネ支持部２４２ａ，２４２ｂと、この支持部２４２ａ，２４２ｂを互いに逆方向に立設させる一対の立設面２４４ａ，２４４ｂとを一体的に備える。
【００２０】
また、スペーサ本体２４１の一端付近の外面には、スペーサ本体２４１の他端側からコンタクト２２の対向側面部２２４が挿通された際に、このスペーサ本体２４１から外側に張り出されたコンタクト２２の係止部２２５に係止される被係止部２４３が当該本体２４１と一体的に備えられている。
【００２１】
立設面２４４ａ，２４４ｂは、スイッチ構造１の組み付け状態でコンタクト２２においてバネ２３のバネ受け面部２２６と対向した際の当該受け面部２２６に対する組み付け高さが相違する。すなわち、立設面２４４ａ，２４４ｂは、図８（ａ）（ｂ）に示したスイッチアッセンブリ２の組立状態でバネ受け面部２２６と対向する当該受け面部２２６に対する立設面２４４ａの組み付け高さＨが、同図（ｂ）の組立状態でバネ受け面部２２６と対向する立設面２４４ｂの当該受け面部２２６に対する組み付け高さｈよりも、高くなるように形成されている。
【００２２】
そして、同図（ａ）のように、立設面２４４ａをコンタクト２２のバネ受け面部２２６と対向させてスペーサ２４を組み付けることにより、スイッチアッセンブリ２のスイッチフィーリングを比較的に軽く調整が可能となる。一方、同図（ｂ）のように、スペーサ２４を上下反転させて立設面２４４ｂをバネ受け面部２２６と対向させて組み付けることにより、前記スイッチフィーリングを比較的に重たく調整が可能となる。
【００２３】
（バスバー３）
バスバー３は、図１に示したように、スイッチノブ２１がＯＮ位置状態のときにコンタクト２２のバルブ側導通部２２１ａが接触するバルブ側バスバー３ａと、電源の一方の極と導通すると共に前記ＯＮ位置状態のときにコンタクト２２の電源側導通部２２１ｂが接触する電源側バスバー３ｂと、前記電源の他方の極とバルブＶとを導通させる導通バスバー３ｃとを有する。
【００２４】
尚、バルブ側バスバー３ａと電源側バスバー３ｂとは、スイッチ構造１の組立前の段階では、仮接続部３ｄによって仮接続されている。仮接続部３ｄはバスバー３がハウジング５内に装着固定された後に切除される。
【００２５】
（レンズ４）
レンズ４は、光を透過する樹脂素材等から成り、下方に向かって開口するノブ取り付け部４１と、このノブ取り付け部４１の内面に設けられてスイッチノブ２１における一対の軸受穴２１１にそれぞれ挿通される一対の揺動軸４２とを備える。また、レンズ４の下面には、バルブＶとバスバー３とを備えたハウジング５が嵌装される嵌装部４３が当該下面と一体的に形成されている。
【００２６】
（スイッチ構造１の組み立て手順の説明）
図１，７（ａ）を参照しながらスイッチ構造１の組み立て手順の一例について説明する。
【００２７】
先ず、図７（ａ）に示したように、スペーサ２４のバネ支持部２４２ａの立設面２４４ａがコンタクト２２側に向けて配置される。そして、このバネ支持部２４２ａに装着されたバネ２３がバネ受け面部２２６上に支持された状態で、コンタクト２２の対向側面部２２４がスペーサ２４の下方からスペーサ本体２４１に挿通される。
【００２８】
そして、コンタクト２２の対向側面部２２４の上端がスペーサ本体２４１の上端から露出するまで対向側面部２２４が挿通されると、この対向側面部２２４上端の返し部２２７がスペーサ本体２４１の上端に係止される。このとき、スペーサ本体２４１の上端寄りの被係止部２４３は、スペーサ本体２４１の外側に張り出されたコンタクト２２の係止部２２５に係止された状態となる。
【００２９】
続いて、スペーサ２４のバネ支持部２４２ｂがスイッチノブ２１の嵌装部２１２に嵌装されると共に、スペーサ本体２４１の上端がスイッチノブ２１のスペーサ嵌装部２１３に嵌装される。
【００３０】
続いて、図１に示したように、レンズ４のノブ取り付け部４１における一対の揺動軸４２にスイッチノブ２１の一対の軸受穴２１１がそれぞれ装着されると、スイッチノブ２１はこのノブ取り付け部４１において揺動可能に支持される。
【００３１】
続いて、バスバー３が、ハウジング５の一端側開口部から挿入され、節度山５１を介してバルブ側バスバー３ａ，電源側バスバー３ｂと導通バスバー３ｃとが隔離された状態で、ハウジング５内に固定される。その後、バルブ側バスバー３ａ，電源側バスバー３ｂ間の仮接続部３ｄが切除される。次いで、ハウジング５の一端側開口部から露出したバルブ側バスバー３ａ，導通バスバー３ｃの一端に、バルブＶが接続される。
【００３２】
そして、このハウジング５がレンズ４の嵌装部４３に嵌装された後、このレンズ４がカバー６の開口部に取り付けられると、ハウジング５がカバー６内に収容された状態となり、スイッチ構造１の組み立てが完了する。
【００３３】
（スイッチ構造１の動作例）
図１〜３を参照しながらスイッチ構造１の動作例について説明する。
【００３４】
スイッチ構造１は、図２，３に示したように、スイッチノブ２１のＯＮ側，ＯＦＦ側の操作面部２１０が押し込まれることにより、ＯＮ−ＯＦＦの切り替えが可能となる。
【００３５】
すなわち、スイッチ構造１をＯＮ状態にする場合、図２に示したように、スイッチノブ２１のＯＮ側の操作面部２１０が押し込まれる。このとき、コンタクト２２がバルブ側バスバー３ａ，電源側バスバー３ｂ側に揺動して、図１のバルブ側導通部２２１ａのバルブ側山部２２２ａがバルブ側バスバー３ａと接触する。一方、図２の電源側導通部２２１ｂの電源側山部２２２ｂが図１の電源側バスバー３ｂと接触する。これにより、バルブ側バスバー３ａと電源側バスバー３ｂとが導通状態となる。
【００３６】
スイッチ構造１をＯＦＦ状態に切り替える場合には、図３に示したように、スイッチノブ２１のＯＦＦ側の操作面部２１０が押し込まれると、コンタクト２２が導通バスバー３ｃ側に揺動する。この揺動に伴い、バルブ側導通部２２１ａ，電源側導通部２２１ｂのそれぞれのバルブ側山部２２２ａ，電源側山部２２２ｂは、ハウジング５内の節度山５１を乗り越える際に、コンタクト２２がスイッチノブ２１側に移動してバネ受け面部２２６上のバネ２３を収縮させる。そして、この収縮したバネ２３の反発力（付勢力）を受けてバルブ側山部２２２ａ，電源側山部２２２ｂが節度山５１に摺接しながらこの節度山５１を乗り越えると、コンタクト２２が当該反発力によって導通バスバー３ｃ側に付勢される。これにより、バルブ側山部２２２ａ，電源側山部２２２ｂは導通バスバー３ｃと接触する。このとき、バルブ側山部２２２ａ，電源側山部２２２ｂがそれぞれバルブ側バスバー３ａ，電源側バスバー３ｂから隔離されるので、当該バスバー３ａ，３ｂ間の導通が解除される。
【００３７】
（スイッチフィーリングの調整）
スイッチ構造１のスイッチフィーリングはバネ２３の反発力によって生み出される。この反発力が大きいほどスイッチノブ２１の操作力は高くなる。
【００３８】
スイッチアッセンブリ２が組み込まれたレンズ４がカバー６に嵌装された状態では、図４に例示したように、コンタクト２２は常にバネ２３によってバスバー３に対して押し込まれてバスバー３からの反発力を受けている。そして、バネ２３が収縮するほどその反発力は大きくなり、特に図５に示したように、コンタクト２２が節度山５１の頂点を登りきったときに反発力が最大となる。
【００３９】
バネ２３の伸縮量は、図６（ａ）（ｂ）に示したようにスイッチアッセンブリ２の組立状態でのコンタクト２２のバネ受け面部２２６に対するスペーサ２４におけるバネ支持部２４２ａの立設面２４４ａの当該受け面部２２６に対する組み付け高さＨによって決まる。
【００４０】
スペーサ２４は図７（ａ）（ｂ）に示したように立設面２４４ａ，２４４ｂの配置以外は上下対称の構造を成しているので、スイッチノブ２１とバネ２３との間でスペーサ２４の配置を上下に反転することにより、スイッチアッセンブリ２のスイッチフィーリングを２段階で調整可能となっている。
【００４１】
すなわち、図７（ａ）に示したように、スイッチアッセンブリ２の組み立ての際に、スイッチノブ２１とバネ２３との間で立設面２４４ａをコンタクト２２のバネ受け面部２２６と対向させてスペーサ２４を配置すると、バネ受け面部２２６に対する立設部２２４ａの組み付け高さは、図８（ａ）に示したように、同図（ｂ）に示した立設面２４４の当該受け面部２２６に対する組み付け高さｈよりも高い、組み付け高さＨとなる。これにより、コンタクト２２のバネ受け面部２２６とスペーサ２４の立設面２４４ａとの間のバネ２３の伸長量が比較的大きくなり、バネ２３の反発力を比較的小さく設定できるので、スイッチフィーリングを比較的軽く調整できる。
【００４２】
一方、スイッチフィーリングを重たく調整する際には、先ず、図８（ａ）のスイッチアッセンブリ２のスペーサ２４からスイッチノブ２１が取り外される。そして、図７（ｂ）に示したように、スペーサ２４を上下に反転させてスイッチノブ２１とバネ２３との間で立設面２４４ｂをコンタクト２２のバネ受け面部２２６と対向させてスイッチアッセンブリ２が組み立てられる。これにより、図８（ｂ）に示したように、バネ受け面部２２６に対する立設部２２４ｂの組み付け高さは、同図（ａ）の立設面２４４ａの当該受け面部２２６に対する組み付け高さＨよりも低い、組み付け高さｈとなる。したがって、コンタクト２２のバネ受け面部２２６とスペーサ２４の立設面２４４ａとの間のバネ２３の伸長量が比較的小さくなり、バネ２３の反発力を比較的大きく設定できる。このようにして、スイッチアッセンブリ２のスイッチフィーリングを、同図（ａ）の組み付け状態のスイッチアッセンブリ２のスイッチフィーリングと比べて、重く調整できる。
【００４３】
以上説明したようにスイッチ構造１によれば、スイッチアッセンブリ２においてスイッチノブ２１とバネ２３との間でスペーサ２４の配置を上下に反転させることにより、スイッチフィーリングを二段階に調整できる。したがって、バネ２３の経年劣化により、スイッチ構造１のスイッチフィーリングが劣悪となった場合においても、製品の交換や金型の修正等の修繕を要することなく、スイッチフィーリングを改善させることができる。
【００４４】
また、スイッチアッセンブリ２はレンズ４に対して着脱自在であるので既存の室内照明灯のスイッチ構造への適用も容易となる。
【００４５】
以上、本発明の実施形態について具体的に説明したが、本発明の技術思想の範囲で多彩な変更等が可能であることは、当業者にとって明白なことであり、このような変更等が特許請求の範囲に属することは当然のことである。
【００４６】
特に、スペーサ２４はコンタクトを付勢するバネとスイッチノブとの間で上下反転配置可能であればよいので、例えば、前記バネとシーソー式以外のスイッチノブとを有するスイッチ構造にスペーサ２４を適用した態様を採ってもよい。この態様も本発明の技術思想の範囲に属する。
【符号の説明】
【００４７】
１…スイッチ構造
２…スイッチアッセンブリ
２１…スイッチノブ
２２…コンタクト（導通部）、２２６…バネ受け面部（受け面）
２３…バネ（付勢部材）
２４…スペーサ（中間部材）、２４２ａ，２４２ｂ…バネ支持部、２４４ａ，２４４ｂ…立設面
３…バスバー、３ａ…バルブ側バスバー、３ｂ…電源側バスバー、３ｃ…導通バスバー、３ｄ…仮接続部
Ｈ，ｈ…組み付け高さ
【図１】
2015216028.tif 000003
【図２】
2015216028.tif 000004
【図３】
2015216028.tif 000005
【図４】
2015216028.tif 000006
【図５】
2015216028.tif 000007
【図６】
2015216028.tif 000008
【図７】
2015216028.tif 000009
【図８】
2015216028.tif 000010